(57)【要約】【課題】スクリーン両端部から両サイドプレートの配設位置までの間の隙間を塞ぐことができると共にスクリーンを巻上げた際に見栄えを良好にすることができるロールスクリーンとする。【解決手段】巻取パイプ１６に第１スクリーン１８の上端が巻取り及び巻解き可能に連結され、セットフレーム１２の左右両端に第２スクリーン２２の上端がそれぞれ取付けられ、巻取パイプ１６の左右両端側に巻取ドラム２６がそれぞれ配設され、各巻取ドラム２６に昇降コード３４の上端が巻取り及び巻解き可能に連結され、各昇降コード３４の下端が第２スクリーン２２に取付けられて、各昇降コード３４の昇降により第２スクリーン２２が昇降可能であり、巻取パイプ１６の回転に連動して各巻取ドラム２６が回転し、第１スクリーン１８の昇降に連動して各第２スクリーン２２が昇降する。【選択図】図１
2013136917.tif 000002
【特許請求の範囲】
【請求項１】
セットフレーム（１２）の左右端に設けられるサイドプレート（１４）に巻取パイプ（１６）の左右端が回転可能に支持され、第１スクリーン（１８）の上端が巻取パイプ（１６）に巻取り及び巻解き可能に連結されたロールスクリーンにおいて、
セットフレーム（１２）の左右両端に第２スクリーン（２２）の上端がそれぞれ取付けられ、
巻取パイプ（１６）の左右両端側に巻取ドラム（２６）がそれぞれ配設され、各巻取ドラム（２６）に昇降コード（３４）の上端が巻取り及び巻解き可能に連結され、各昇降コード（３４）の下端が第２スクリーン（２２）に取付けられて、各昇降コード（３４）の昇降により各第２スクリーン（２２）が昇降可能であり、巻取パイプ（１６）の回転に連動して各巻取ドラム（２６）が回転し、第１スクリーン（１８）の昇降に連動して各第２スクリーン（２２）が昇降することを特徴とするロールスクリーン。
【請求項２】
巻取ドラム（２６）は巻取パイプ（１６）と同軸上に設けられることを特徴とする請求項１記載のロールスクリーン。
【発明の詳細な説明】
【技術分野】
【０００１】
本発明は、両サイドプレートの間の幅寸法とスクリーンの幅寸法との相違から発生する、スクリーン両端部から両サイドプレートの配設位置までの間の隙間を塞ぐことができるロールスクリーンに関する。
【背景技術】
【０００２】
かかる従来のロールスクリーンとしては、特許文献１及び２に記載されるものが知られている。
【０００３】
特許文献１では、ロールブラインドの巻きの太さによって調節できる取り付け器具と、長さ調節できる帯とからなるロールブラインド用隙間目隠しを提案している。このロールブラインド用隙間目隠しによって、ロールスクリーンを２台以上連装で設置した場合に、２台のスクリーンの間に発生する隙間を取り付け器具から吊り下げた帯によって塞ぐことで、スクリーン間の光漏れを防止している。
【０００４】
特許文献２では、複数の主幕体と副幕体とを交互に横並び状態で配置し、各主幕体をそれぞれ主巻取り軸に、各副幕体をそれぞれ副巻取り軸に巻回し、これら幕体を同期して繰り出すことにより防火区画を形成する防火区画用スクリーン装置を提案している。互いに隣接する幕体の少なくとも一方の側縁に、他方の幕体の側縁を相対移動自在に挟み込む二股状の封止部を形成することで、幕体の側縁同士の隙間を封止するようにしている。
【先行技術文献】
【特許文献】
【０００５】
【特許文献１】実開平０１−７０９９６号公報
【特許文献２】特開２００１−１９３３７０号公報
【発明の概要】
【発明が解決しようとする課題】
【０００６】
しかしながら、特許文献１に記載のものでは、光を採り入れるためにスクリーンを巻上げると、帯のみが垂れ下がった状態になってしまう。帯が目障りな場合には取り外すことができるが、取り外し作業が煩雑であり、また、外した帯の保管場所にも困るという問題がある。
【０００７】
また、特許文献２に記載のものでは、副幕体を巻取る副巻取り軸が、主幕体を巻取る主巻取り軸の斜め下方に位置して、主巻取り軸と平行に配置されるようになっているため、巻取り軸を配置するための前後方向に必要なスペースが大きくなるという問題がある。
【０００８】
本発明はかかる課題に鑑みなされたもので、第１の目的は、スクリーン両端部から両サイドプレートの配設位置までの間の隙間を塞ぐことができると共にスクリーンを巻上げた際に見栄えを良くすることができるロールスクリーンを提供することである。
【０００９】
また、第２の目的は、第１の目的に加えて、省スペース化を図ることができるロールスクリーンを提供することである。
【課題を解決するための手段】
【００１０】
前述した目的を達成するために、請求項１記載の発明は、セットフレームの左右端に設けられるサイドプレートに巻取パイプの左右端が回転可能に支持され、第１スクリーンの上端が巻取パイプに巻取り及び巻解き可能に連結されたロールスクリーンにおいて、
セットフレームの左右両端に第２スクリーンの上端がそれぞれ取付けられ、
巻取パイプの左右両端側に巻取ドラムがそれぞれ配設され、各巻取ドラムに昇降コードの上端が巻取り及び巻解き可能に連結され、各昇降コードの下端が第２スクリーンに取付けられて、各昇降コードの昇降により各第２スクリーンが昇降可能であり、巻取パイプの回転に連動して各巻取ドラムが回転し、第１スクリーンの昇降に連動して各第２スクリーンが昇降することを特徴とする。
【００１１】
請求項２記載の発明は、請求項１記載のロールスクリーンにおいて、巻取ドラムは巻取パイプと同軸上に設けられることを特徴とする。
【発明の効果】
【００１２】
本発明によれば、第１スクリーンと第２スクリーンの昇降が連動しているため、第１スクリーンを下降させたときには第２スクリーンも下降して、第２スクリーンが第１スクリーン両端部からの光漏れを防止し、第１スクリーンを上昇させたときには第２スクリーンも上昇して、第２スクリーンが視界を妨げることがなく、見栄えを良好にすることができる。
【００１３】
請求項２記載の発明によれば、巻取ドラムは巻取パイプと同軸上に位置しているため、ロールスクリーンの前後方向の寸法の大型化を回避し、省スペース化を図ることができる。
【図面の簡単な説明】
【００１４】
【図１】本発明に係るロールスクリーンの第１の実施形態を示す正面図であり、（ａ）は全閉状態を、（ｂ）は全開状態をそれぞれ示す。
【図２】第１の実施形態の巻取パイプ内部を示す部分断面図である。
【図３】図２のＡ―Ａ断面図であり、ロールスクリーンが全閉の状態を示す。
【図４】図２のＡ―Ａ断面図であり、ロールスクリーンが昇降途中の状態を示す。
【図５】図２のＡ―Ａ断面図であり、ロールスクリーンが全開の状態を示す。
【図６】図２のＢ―Ｂ断面図であり、ロールスクリーンが全閉の状態を示す。
【図７】図２のＢ―Ｂ断面図であり、ロールスクリーンが全開の状態を示す。
【図８】第２の実施形態のロールスクリーンの一方の第２スクリーン２２を省略して示した正面図であり、（ａ）は全閉状態を、（ｂ）は全開状態をそれぞれ示す。
【図９】第２の実施形態のロールスクリーンの全閉状態の側断面図である。
【図１０】第２の実施形態のロールスクリーンの全開状態の側断面図である。
【図１１】第３の実施形態のロールスクリーンの全閉状態の正面図である。
【図１２】第４の実施形態のロールスクリーンの全閉状態の正面図である。
【発明を実施するための形態】
【００１５】
（第１の実施形態）
以下、図１ないし図７を用いて本発明の第１の実施形態を説明する。
【００１６】
図１に示すように、本発明に係るロールスクリーン１０は、図示していない窓枠等に取付けられるセットフレーム１２と、セットフレーム１２の左右端に設けられるサイドプレート１４と、サイドプレート１４に左右端が回転可能に支持される巻取パイプ１６と、巻取パイプ１６に上端が巻取り及び巻解き可能に連結される第１スクリーン１８と、第１スクリーン１８の下端に連結されるウエイトバー２０と、を備える。
【００１７】
更に、ロールスクリーン１０には、セットフレーム１２の背面側の左右端からサイドプレート１４にかけて第２スクリーン２２の上端がそれぞれ取付けられている。各第２スクリーン２２は、第１スクリーン１８よりも幅寸法の小さいものとなっている。各第２スクリーン２２は対応する近傍の第１スクリーン１８の左右一端部とそれぞれ互いに重なり合うと共に、第１スクリーン１８の左右一端部よりも左右方向に延長するように配置される。また、図３に示すように、各第２スクリーン２２の下端は第１スクリーン１８と共にウエイトバー２０にそれぞれ連結される。各第２スクリーン２２には、その上部に貫通孔２２ａがそれぞれ設けられていると共に、背面に上下方向に間隔をあけて複数のリング２４がそれぞれ取付けられている。
【００１８】
巻取パイプ１６の両端部とサイドプレート１４との間には、巻取ドラム２６がそれぞれ配設されており、図２に示すように、巻取パイプ１６と巻取ドラム２６とは、アダプター３０を介して相対回転不能に連結されている。
【００１９】
巻取パイプ１６は、サイドプレート１４に支持されると共に巻取ドラム２６の軸心を相対回転自在に貫通する支持軸２８に回転可能に支持される。巻取パイプ１６内にはコイル状の巻取スプリング３２が内蔵されて、巻取パイプ１６を常時スクリーン巻取り方向へ付勢している。また、巻取パイプ１６の他端部には、図示していない公知のストッパーが内蔵されており、ストッパーによって巻取パイプ１６の回転の停止と許容の切換を行うことができるようになっている。
【００２０】
各巻取ドラム２６には昇降コード３４の上端が巻取り及び巻解き可能にそれぞれ連結されており、各昇降コード３４の下端は、図３に示すように、巻取ドラム２６の背面側から第２スクリーン２２の貫通孔２２ａを貫通して第２スクリーン２２の背面側に導出された後、第２スクリーン２２の背面の複数のリング２４を下方に向かって順次挿通し、最下段のリング２４に連結される。巻取ドラム２６が昇降コード３４を巻取る方向に回転すると、昇降コード３４は巻取ドラム２６に巻取られるにつれて下端が上昇していくため、最下段のリング２４から順次上昇し、各第２スクリーン２２をたくし上げていく。また、第２スクリーン２２の最下段のリング２４からウエイトバー２０までの部分は、各巻取ドラム２６と巻取パイプ１６の回転が連動しているため、巻取パイプ１６の回転により第１スクリーン１８が巻取られて、ウエイトバー２０が上昇していくため、たくし上げられていくことになる。
【００２１】
次に、第１の実施形態の作用について説明する。
【００２２】
図１（ａ）、図３及び図６に示すように、第１スクリーン１８及び第２スクリーン２２が全閉状態のとき、各第２スクリーン２２は、対応する近傍の第１スクリーン１８の左右一端部と重なり合うと共に第１スクリーン１８の左右一端部から左右方向に延長しているために、第１スクリーン１８と各サイドプレート１４の配設位置にかけて形成される幅方向の隙間４０を覆っており、これらの隙間４０から入射する光を遮り、光漏れを防止している。
【００２３】
次に、ストッパーを解除して巻取スプリング３２の付勢力により巻取パイプ１６をスクリーン巻取方向へ回転させると、第１スクリーン１８が巻取パイプ１６に巻取られていくと共に、巻取パイプ１６と連動して回転する巻取ドラム２６に昇降コード３４が巻取られていく。これにより、図４に示すように、第１スクリーン１８が巻取られるにつれてウエイトバー２０が上昇し、各第２スクリーン２２の下端がたくし上げられていくと共に、昇降コード３４が巻取られるにつれて最下段のリング２４より順次上方の第２スクリーン２２部分がたくし上げられていく。ここでは、スクリーンの上昇途中について説明したが、スクリーンの下降途中についても第１スクリーン１８及び第２スクリーン２２は同様の形態をとり、昇降コード３４が巻解かれるにつれて、最上段のリング２４より順次第２スクリーン２２部分が展開されていく。
【００２４】
このようにして、図１（ｂ）、図５及び図７に示すように、第１スクリーン１８が巻取パイプ１６に全て巻取られると共に、昇降コード３４が巻取ドラム２６に全て巻取られると、たくし上げられた第２スクリーン２２はウエイトバー２０の上方に位置するようになる。これにより、第１スクリーン１８の全開時において、第２スクリーン２２が視界を妨げることがなく、見栄えを良好にすることができる。
【００２５】
また、巻取ドラム２６は巻取パイプ１６と同軸上に位置しているため、ロールスクリーン１０の前後方向の寸法を従来のロールスクリーンと同等にすることができ、省スペース化を図ることができる。
【００２６】
（第２の実施形態）
次に、図８ないし図１０に基づいて第２の実施形態について説明する。ここでは、第１の実施形態と相違する構成及び作用のみ説明するものとし、第１の実施形態と同じ部材には同じ符号を付すものとする。
【００２７】
第２の実施形態では、第２スクリーン２２がセットフレーム１２の正面側に取付けられており、第１の実施形態のような貫通孔２２ａは形成されておらず、第２スクリーン２２の背面側にリング２４のみが取付けられている。そして、最下段のリング２４はウエイトバー２０と略同じ高さ位置に取付けられる。昇降コード３４は巻取ドラム２６に第１の実施形態とは逆方向に巻付けられており、昇降コード３４の下端は巻取ドラム２６の正面側からリング２４を下方に向かって順次挿通し、ウエイトバー２０に連結されている。
【００２８】
巻取ドラム２６は、巻取パイプ１６に連動して回転するが、図示しない変換機構により反対方向に回転するようになっている。
【００２９】
次に、第２の実施形態の作用について説明する。
【００３０】
図８（ａ）及び図９に示すように、第１スクリーン１８及び第２スクリーン２２が全閉状態のとき、各第２スクリーン２２は、対応する近傍の第１スクリーン１８の左右一端部と重なり合うと共に第１スクリーン１８の左右一端部から左右方向に延長しているために、第１スクリーン１８の左右両端部から各サイドプレート１４にかけて形成される隙間４０を覆っており、これらの隙間４０から入射する光を遮り、光漏れを防止している。また、各第２スクリーン２２は、セットフレーム１２の正面側に取付けられているため、各巻取ドラム２６の全体、並びに巻取パイプ１６、第１スクリーン１８及びウエイトバー２０の左右両端部もそれぞれ覆っており、見栄えを良好にしている。
【００３１】
一方、図８（ｂ）及び図１０に示すように、第１スクリーン１８及び第２スクリーン２２が全開状態のとき、巻取ドラム２６に巻付いている昇降コード３４に沿ってリング２４が巻取ドラム２６の円周方向に整列するため、隣り合うリング２４間で二つ折りになって垂下する形状の第２スクリーン２２が巻取ドラム２６の円周方向に複数整列する形態をとる。このように、第２の実施形態では、第２スクリーン２２は巻取ドラム２６の下方に若干垂下するものの視界を遮るということはないので、見栄えを良くすることができる。
【００３２】
（第３の実施形態）
図１１に示すように、第３の実施形態は、第２の実施形態のように、セットフレーム１２の正面側に第２スクリーン２２を設けるものであって、第１のスクリーン１８と第２のスクリーン２２とを同系色ではあるが、色の濃淡をつけた別々の生地を用いてそれぞれを構成している。これによって、ロールスクリーン全体にアクセントをつけることができる。
【００３３】
（第４の実施形態）
図１２に示すように、第４の実施形態も、第２の実施形態のようにセットフレーム１２の正面に第２スクリーン２２を設けるものであって、第２スクリーン２２を柄の付いた生地で構成している。これによって、ロールスクリーン全体にアクセントをつけることができる。
【００３４】
なお、以上の各実施形態で用いた昇降コード３４は、昇降テープとしてもよい。
【００３５】
また、第２スクリーン２２のセットフレーム１２への取付けは、着脱不能に固着してもよいし、面ファスナー などを用いて着脱可能に固定してもよい。
【００３６】
さらに、第１スクリーン１８及び第２スクリーン２２の色及び柄は上記実施形態のものに限定されるものではなく、例えば材質の異なるさまざまなバリエーションの生地を用いることができる。
【符号の説明】
【００３７】
１０  ロールスクリーン
１２  セットフレーム
１４  サイドプレート
１６  巻取パイプ
１８  第１スクリーン
２２  第２スクリーン
２６  巻取ドラム
３４  昇降コード
【図１】
2013136917.tif 000003
【図２】
2013136917.tif 000004
【図３】
2013136917.tif 000005
【図４】
2013136917.tif 000006
【図５】
2013136917.tif 000007
【図６】
2013136917.tif 000008
【図７】
2013136917.tif 000009
【図８】
2013136917.tif 000010
【図９】
2013136917.tif 000011
【図１０】
2013136917.tif 000012
【図１１】
2013136917.tif 000013
【図１２】
2013136917.tif 000014